(57)【要約】【課題】センサを固定した状態で測定する方法ではロータリーダイやピンチロールと厚さの測定値との位値対応関係が取り難く、センサをフィルムの周囲に沿って旋回させる方法は構造が複雑になるという課題を解決する。さらに、フィルムの輸送遅れを補償することが難しいという課題を解決する。【解決手段】一定周期で厚さを測定して保存しておき、ロータリーダイまたはピンチロールに基準点を設けて、この基準点を通過した基準信号に基づいて保存したデータを切り出し、プロファイルを演算するようにした。また、輸送時間に相当するデータの個数だけ、切り出すデータの位値を過去側にずらすようにした。ロータリーダイやピンチローラと測定値の位値対応関係が取れ、かつ輸送遅れを補償できる。【選択図】            図１
2004347558.tif 000002
【特許請求の範囲】
【請求項１】
回転するロータリーダイに熱可塑性樹脂を注入してチューブ状フィルムにするシート状製品製造装置に用いる幅方向プロファイル測定方法において、
所定の周期で前記チューブ状フィルムの物理量を測定して保存し、前記ロータリーダイに少なくとも１点の基準点を設け、この基準点が所定の位置を通過したことを示す基準信号に基づいて前記保存した測定値を切り出して、この切り出した測定値から前記チューブ状フィルムの幅方向のプロファイルを求めるようにしたことを特徴とする幅方向プロファイル測定方法。
【請求項２】
前記チューブ状フィルムが前記ロータリーダイから前記物理量を測定する測定点まで輸送される時間を前記物理量の測定周期で割り算した値だけ、前記切り出す位置を過去側にシフトするようにしたことを特徴とする請求項１記載の幅方向プロファイル測定方法。
【請求項３】
前記物理量を測定するセンサの遅れ時定数の時間を前記物理量の測定周期で割り算した値だけ、前記切り出す位置を過去側にシフトするようにしたことを特徴とする請求項１記載ないし請求項２記載の幅方向プロファイル測定方法。
【請求項４】
前記チューブ状フィルムを幅方向に複数のゾーンに分割し、前記基準信号に基づいて前記保存された測定値のうち前記ゾーンに含まれる測定値を抽出して、これらの測定値の平均値をそのゾーンの測定値とするようにしたことを特徴とする請求項１ないし請求項３いずれかに記載の幅方向プロファイル測定方法。
【請求項５】
前記平均値にスムージング処理を施したことを特徴とする請求項４記載の幅方向プロファイル測定方法。
【請求項６】
前記物理量は前記フィルムの厚さであることを特徴とする請求項１ないし請求項５記載の幅方向プロファイル測定方法。
【請求項７】
振動するピンチロールにチューブ状フィルムを入力して折り畳むシート状製品製造装置に用いる幅方向プロファイル測定方法において、
所定の周期で前記フィルムの物理量を測定して保存し、前記ピンチロールに少なくとも１点の基準点を設け、この基準点が所定の位置を通過したことを示す基準信号および前記ピンチロールの振動方向に基づいて前記保存した測定値を切り出して、この切り出した測定値から前記フィルムの幅方向のプロファイルを求めるようにしたことを特徴とする幅方向プロファイル測定方法。
【請求項８】
前記ピンチロールの振動方向をエンコーダで測定し、前記基準点として前記振動の折り返し点を用いるようにしたことを特徴とする請求項７記載の幅方向プロファイル測定方法。
【請求項９】
前記フィルムが前記ピンチロールから測定点まで輸送される時間を前記物理量の測定周期で割り算した値だけ、前記切り出す位置を過去側にシフトするようにしたことを特徴とする請求項７ないし請求項８記載の幅方向プロファイル測定方法。
【請求項１０】
前記物理量を測定するセンサの遅れ時定数の時間を前記物理量の測定周期で割り算した値だけ、前記切り出す位置を過去側にシフトするようにしたことを特徴とする請求項７記載ないし請求項９いずれかに記載の幅方向プロファイル測定方法。
【請求項１１】
前記フィルムを幅方向に複数のゾーンに分割し、前記基準信号に基づいて前記保存された測定値のうち前記ゾーンに含まれる測定値を抽出して、これらの測定値の平均値をそのゾーンの測定値とするようにしたことを特徴とする請求項７ないし請求項１０いずれかに記載の幅方向プロファイル測定方法。
【請求項１２】
前記平均値にスムージング処理を施したことを特徴とする請求項１１記載の幅方向プロファイル測定方法。
【請求項１３】
前記物理量は前記フィルムの厚さであることを特徴とする請求項７ないし請求項１２いずれかに記載の幅方向プロファイル測定方法。
【請求項１４】
回転するロータリーダイに熱可塑性樹脂を注入してチューブ状フィルムにし、このチューブ状フィルムを振動するピンチローラによって折り畳むシート状製品製造装置に用いる幅方向プロファイル測定装置において、
所定の周期でフィルムの物理量を測定するセンサと、このセンサが測定した測定値を時系列的に保存する測定データ保存部と、前記ロータリーダイまたは前記ピンチローラが予め定められた位置を通過したことを示す基準信号が入力され、この基準信号によってカウントが開始されるタイマと、このタイマの出力および前記測定データ保存部の出力が入力される演算部とを有し、この演算部は前記タイマのタイムアップ信号に基づいて前記測定データ保存部から測定データを切り出し、この切り出した測定データに基づいて前記フィルムの幅方向プロファイルを測定するようにしたことを特徴とする幅方向プロファイル測定装置。
【請求項１５】
前記タイマを２つ以上具備したことを特徴とする請求項１４記載の幅方向プロファイル測定装置。
【請求項１６】
前記フィルムを幅方向に複数のゾーンに分割し、前記演算部は前記測定データ保存部に保存された測定データから前記ゾーンに含まれる測定データを切り出し、これらの測定データの平均値をそのゾーンの測定値とするようにしたことを特徴とする請求項１４または請求項１５記載の幅方向プロファイル測定装置。
【発明の詳細な説明】
【０００１】
【発明の属する技術分野】
この発明は、シート状製品の幅方向のプロファイルを測定する方法およびその装置に関し、特にブローンフィルム製造装置に用いて好適なシート状製品のプロファイル測定方法およびその装置に関するものである。
【０００２】
【従来の技術】
図５にインフレーションマシンを用いたブローンフィルム製造装置の構成を示す。図５において、熱可塑性樹脂は押出機５１によって加熱、溶融され、リングダイ５３から押し出される。リングダイ５３には、押し出された熱可塑性樹脂に気体を吹き込む吹き出し部が設けられ、給排気装置５２から空気が供給される。そのため、熱可塑性樹脂は６のようにチューブ状になる。このチューブ６はピンチロール７１で折り畳まれ、巻取り機７２で巻き取られる。
【０００３】
このようなブローンフィルム製造装置では、製品であるフィルムの厚さを一定に制御しなければならない。そのため、矢印８１〜８３で示す位置で押し出されたチューブ６の厚さの幅方向プロファイルを測定し、厚さが均一になるようにリングダイ５３またはピンチロール７１を制御する。
【０００４】
矢印８１の位置での測定では、チューブ６が折り畳まれた後で、フィルムの一部を切り取ってオフラインで厚さを測定する。しかし、フィルムを製造するときはリングダイ５３を回転させるロータリーダイを用いたり、ピンチロール７１を旋回させてチューブ６にオシレーションをかける場合が多いので、製造中にフィルムの一部を切り出すと、切り出した部分とリングダイ（ロータリーダイ）５３やピンチロール７１との位置対応をとることが困難になる。そのため、フィルムの製造前にオシレーションを止めた状態で測定を行って、その結果によってリングダイ（ロータリーダイ）５３またはピンチロール７１を調整して、偏肉が発生しないように操業条件を決定するようにしている。
【０００５】
ここで、リングダイ５３において、ダイが回転するタイプのものをロータリーダイと呼び、ロータリダイはリングダイの一形態である。以下、ダイが回転するタイプのリングダイ５３をロータリーダイ５３として説明を行う。
【０００６】
矢印８２の位置での測定では、チューブ６が折り畳まれる直前に、チューブ６の円周の一部を平面として測定するものである。そのため、ロータリーダイ５３の回転をエンコーダで取りこんで回転角を計算し、測定点とロータリーダイ５３との位置対応を取るようにしている。また、ピンチロール７１が旋回しているときは、センサを移動させて位置対応を特定する。
【０００７】
矢印８３の位置での測定では、センサをチューブ６の外周に沿って旋回させて幅方向の厚さのプロファイルを測定する。センサの位置をエンコーダなどで取りこむことにより、測定点とロータリーダイ５３との位置対応を特定する。
【０００８】
【特許文献１】
特開平０９−１２３２５１号公報  フィルム厚み制御装置
【０００９】
【発明が解決しようとする課題】
しかしながら、このような幅方向の厚さプロファイルの測定には次のような課題があった。
【００１０】
矢印８１の位置での測定では、ロータリーダイやピンチロールオシレーションを行う操業時に、ダイとの位置対応を保ちながらオンラインで厚さプロファイルを測定することが難しい。そのため、製造中に操業条件が変化した場合には、対応することが難しいという課題があった。
【００１１】
矢印８２あるいは８３の位置での測定では、ロータリーダイ５３やセンサにエンコーダを設置したり、センサを移動させる装置が必要になり、コストアップになってしまうという課題があった。また、後から測定装置を追加すると別途工事が必要になり、導入コストが高くなってしまうという課題もあった。
【００１２】
さらに、ロータリーダイ５３やピンチロール７１とセンサの設置位置が離れているので、チューブ６の移動速度が変化するとロータリーダイ５３やピンチロール７１から測定点までチューブ６が移動する時間が変動し、位置対応を取ることが困難になるという課題もあった。
【００１３】
従って本発明の目的は、簡単に測定データと測定点の対応を取ることができ、正確な幅方向のプロファイルを得ることができる幅方向プロファイル測定方法およびその装置を提供することにある。
【００１４】
【課題を解決するための手段】
このような課題を解決するために、本発明のうち請求項１記載の発明は、回転するロータリーダイに熱可塑性樹脂を注入してチューブ状フィルムにするシート状製品製造装置に用いる幅方向プロファイル測定方法であって、所定の周期で前記チューブ状フィルムの物理量を測定して保存し、前記ロータリーダイに少なくとも１点の基準点を設け、この基準点が所定の位置を通過したことを示す基準信号に基づいて前記保存した測定値を切り出して、この切り出した測定値から前記チューブ状フィルムの幅方向のプロファイルを求めるようにしたものである。測定値とロータリーダイの位置対応関係が取れる。
【００１５】
請求項２記載の発明は、請求項１記載の発明において、前記チューブ状フィルムが前記ロータリーダイから前記物理量を測定する測定点まで輸送される時間を前記物理量の測定周期で割り算した値だけ、前記切り出す位置を過去側にシフトするようにしたものである。輸送遅れを補償できる。
【００１６】
請求項３記載の発明は、請求項１記載ないし請求項２記載の発明において、前記物理量を測定するセンサの遅れ時定数の時間を前記物理量の測定周期で割り算した値だけ、前記切り出す位置を過去側にシフトするようにしたものである。遅れ時定数を補償できる。
【００１７】
請求項４記載の発明は、請求項１ないし請求項３いずれかに記載の発明において、前記チューブ状フィルムを幅方向に複数のゾーンに分割し、前記基準信号に基づいて前記保存された測定値のうち前記ゾーンに含まれる測定値を抽出して、これらの測定値の平均値をそのゾーンの測定値とするようにしたものである。測定データの個数が変化しても表示やダイの操作に影響しない。
【００１８】
請求項５記載の発明は、請求項４記載の発明において、前記平均値にスムージング処理を施したものである。フィルムの流れ方向の影響を減ずる。
【００１９】
請求項６記載の発明は、請求項１ないし請求項５記載の発明において、前記物理量は前記フィルムの厚さであることを特徴としたものである。効果が大きい。
【００２０】
請求項７記載の発明は、振動するピンチロールにチューブ状フィルムを入力して折り畳むシート状製品製造装置に用いる幅方向プロファイル測定方法であって、所定の周期で前記フィルムの物理量を測定して保存し、前記ピンチロールに少なくとも１点の基準点を設け、この基準点が所定の位置を通過したことを示す基準信号および前記ピンチロールの振動方向に基づいて前記保存した測定値を切り出して、この切り出した測定値から前記フィルムの幅方向のプロファイルを求めるようにしたものである。測定値とピンチロールの位置対応を通して、測定値とリングダイの位置対応関係が取れる。
【００２１】
請求項８記載の発明は、請求項７記載の発明において、前記ピンチロールの振動方向をエンコーダで測定し、前記基準点として前記振動の折り返し点を用いるようにしたものである。振動方向の測定と基準点センサを共用できる。
【００２２】
請求項９記載の発明は、請求項７ないし請求項８記載の発明において、前記フィルムが前記ピンチロールから測定点まで輸送される時間を前記物理量の測定周期で割り算した値だけ、前記切り出す位置を過去側にシフトするようにしたものである。輸送遅れを補償できる。
【００２３】
請求項１０記載の発明は、請求項７記載ないし請求項９いずれかに記載の発明において、前記物理量を測定するセンサの遅れ時定数の時間を前記物理量の測定周期で割り算した値だけ、前記切り出す位置を過去側にシフトするようにしたものである。センサの遅れ時定数を補償できる。
【００２４】
請求項１１記載の発明は、請求項７ないし請求項１０いずれかに記載の発明において、前記フィルムを幅方向に複数のゾーンに分割し、前記基準信号に基づいて前記保存された測定値のうち前記ゾーンに含まれる測定値を抽出して、これらの測定値の平均値をそのゾーンの測定値とするようにしたものである。測定データの個数が変化しても、表示やダイの操作に影響しない。
【００２５】
請求項１２記載の発明は、請求項１１記載の発明において、前記平均値にスムージング処理を施したものである。フィルムの流れ方向の影響を減ずる。
【００２６】
請求項１３記載の発明は、請求項７ないし請求項１２いずれかに記載の発明において、前記物理量は前記フィルムの厚さであることを特徴としたものである。効果が大きい。
【００２７】
請求項１４記載の発明は、回転するロータリーダイに熱可塑性樹脂を注入してチューブ状フィルムにし、このチューブ状フィルムを振動するピンチローラによって折り畳むシート状製品製造装置に用いる幅方向プロファイル測定装置であって、所定の周期でフィルムの物理量を測定するセンサと、このセンサが測定した測定値を時系列的に保存する測定データ保存部と、前記ロータリーダイまたは前記ピンチローラが予め定められた位置を通過したことを示す基準信号が入力され、この基準信号によってカウントが開始されるタイマと、このタイマの出力および前記測定データ保存部の出力が入力される演算部とを有し、この演算部は前記タイマのタイムアップ信号に基づいて前記測定データ保存部から測定データを切り出し、この切り出した測定データに基づいて前記フィルムの幅方向プロファイルを測定するようにしたものである。構成が簡単で、輸送遅れなどを補償できる。
【００２８】
請求項１５記載の発明は、請求項１４記載の発明において、前記タイマを２つ以上具備するようにしたものである。基準点信号の周期よりも輸送遅れなどの時間の方が長い場合でも測定できる。
【００２９】
請求項１６記載の発明は、請求項１４または請求項１５記載の発明において、前記フィルムを幅方向に複数のゾーンに分割し、前記演算部は前記測定データ保存部に保存された測定データから前記ゾーンに含まれる測定データを切り出し、これらの測定データの平均値をそのゾーンの測定値とするようにしたものである。測定データの個数が変化しても、表示やダイの操作に影響しない。
【発明の実施の形態】
以下に、図に基づいて本発明を詳細に説明する。
図１は本発明に係る幅方向のプロファイルを測定する方法の一実施例を示すフローチャートである。なお、ロータリーダイ５３を回転させるブローンフィルムの製造装置の幅方向厚さプロファイル測定に適用した場合について説明する。
【００３０】
この実施例では、ロータリーダイ５３の１カ所以上の点を基準点とし、近接センサ等を用いて回転するロータリーダイ５３が予め決められた位置に来たことを検出できるようにする。また、厚さの測定はロータリーダイ５３の位置とは無関係に一定周期あるいはロータリーダイ５３に取り付けられたエンコーダの出力パルスに同期して行い、時系列あるいはパルス締めのデータをプロファイルデータとして蓄積する。さらに、厚さの測定範囲を複数のゾーンに分割しておく。図１のフローはこのデータ蓄積と並行に行われる。
【００３１】
最初にａ−１で基準点の情報を入力する。すなわち、基準点が予め決められた位置に到達した時間を入力する。次に、ａ−２でブローンフィルムの輸送遅れによる時間補正を行う。輸送遅れ時間は、
輸送遅れ時間＝パス間距離／フィルム速度        ・・・・  （１）
で求めることができる。パス間距離はロータリーダイ５３と測定点間の距離である。フィルム速度は、シート製造装置からの信号を取りこむか、フィルム速度の設定値を用いる。
【００３２】
次に、ａ−３でロータリーダイ５３と測定点の位置合わせを行う。測定は前記（１）式の輸送遅れ時間だけ遅れるので、ロータリーダイ５３の位置と測定データを合わせるために、下記（２）式の補正データ数だけ基準点を過去側に引き戻す補正を行う。
輸送遅れの補正データ数＝輸送遅れ時間／データの測定周期・・・・  （２）
輸送遅れ時間は前記（１）式で求めた値である。
【００３３】
次に、ａ−４で予め分割しておいた各ゾーンに入る測定データを求める。各ゾーンに入る測定データの数は下記（３）式で求めることができる。
ゾーンｊ（０〜ＺＮ−１）内の測定データ数ＺＡＮｊ＝Ｉｎｔ（ｊ×Ｎ／ＺＮ）−Ｉｎｔ（（ｊ−１）×Ｎ／ＺＮ）・・・・  （３）
ここにおいて、Ｎは全測定データの数、ＺＮはゾーンの数であり、Ｉｎｔ（）は小数点以下を切り捨てる関数である。
【００３４】
ゾーンｊに入る測定データの開始点をＺＡＳｊ、終了点をＺＡＥｊとすると、
ＺＡＳｊ＝ΣＺＡＮｋ＋１                        ・・・・  （４）
ＺＡＥｊ＝ＺＡＳｊ＋ＺＡＮｊ                    ・・・・  （５）
になる。但し、ＺＡＮｋ、ＺＡＮｊはそれぞれ前記（３）式で求めたゾーンｋ、ｊ内の測定データ数であり、（４）式のｋの加算範囲は０からｊ−１である。
【００３５】
そして、ａ−５で各ゾーン内の測定データの平均値を演算する。ゾーンｊの平均値をＺＰＶｊとすると、下記（６）式で演算することができる。
ＺＰＶｊ＝ΣＰＶｋ／ＺＡＮＶｊ                    ・・・・  （６）
ここにおいて、ＰＶｋはｋ番目の測定データ、ＺＡＮＶｊはゾーンｊ内の測定データ数である。ｋの加算範囲はＺＡＳｊからＺＡＥｊである。
【００３６】
予め設定した測定データの収集時間を変化させたり、ロータリーダイ５３の回転速度を変化させるとロータリーダイ５３と測定データの位置関係が変化する。そのため、基準点を設けてこの位置関係を校正し、また前記（２）式でフィルムの輸送遅れの補正を行う。このようにすることによって、ロータリーダイ５３やフィルムの動きに関わらず、正確なプロファイルを測定できる。
【００３７】
また、測定データ数が変わるとフィルムの幅方向の厚さプロファイルを表示する際に支障を来す場合がある。そのため、測定範囲を複数のゾーンに分割して、各ゾーンの平均値を表示するようにする。このようにすると、測定データの数が変わっても、表示を一定にすることができる。表示点数が一定となる事で、ダイの操作が行い易くなる。
【００３８】
図２はピンチロール７１をオシレーションさせる製造装置に適用するプロファイル測定方法のフローチャートである。図２において、ｂ−１で基準点の情報を入力し、ｂ−２で輸送遅れの時間補正を行う。これらは図１と同じなので、説明を省略する。なお、折り返し点や中心停止位置におけるセンター点を基準点として用いることができる。
【００３９】
ｂ−３において、ピンチロール７１の振動方向を判別する。ピンチロール７１は往復運動をしているので、方向によって測定データの並びが異なるためである。
【００４０】
時間区切り時の振動方向は、次のようにして判別することができる。右回りの場合は、センター点を通過して左折り返し点の降り下がり微分の後にセンター点が入力されるか、左折り返し点の降り下がり微分の後に右折り返し点の立ち上がり微分が発生することで判別できる。また、左回りの場合は、センター点を通過して右折り返し点の降り下がり微分の後にセンター点が入力されるか、右折り返し点の降り下がり微分の後に左折り返し点の立ち上がり微分が発生することで判別できる。
【００４１】
あるいは、エンコーダを用いている場合は、左右回りをエンコーダのＡ／Ｂ相から方向を判別するようにしてもよい。この場合は、基準点として左右方向の切り替えのタイミングを左右の折り返し点のタイミングとして用いることができる。
【００４２】
次に、ｂ−４でピンチロール７１と測定データとの位置合わせを行う。この位置合わせも図１実施例とほぼ同じなので、詳細を省略する。但し、ｂ−３で求めた振動方向を考慮して行う。
【００４３】
そして、ｂ−５で各ゾーンに含まれる測定データを求める。これには、前記（３）〜（５）式を用いる。最後に、ｂ−６で前記（６）式を用いて各ゾーンの平均値を求める。このようにすると、測定データの数が変化しても、表示のためのデータ数は同じになるので、表示に支障を来すことはなくなる。また、ダイ操作が行い易い事も同様である。
【００４４】
フィルムの輸送遅れ時間がピンチロール７１の振動周期やロータリーダイ５３の回転周期より長くなることを考慮して、輸送遅れ時間を測定するタイマを複数個用意しておくことが必要になる場合がある。このことを図３に基づいて説明する。
【００４５】
図３において、ピンチロール７１の折り返し点の降り下りがｔ１に発生し、同立ち上がりがｔ２に発生したとし、その時間間隔をＴとする。また、輸送遅れ時間をＴＤとする。ｔ１，ｔ２でタイマがカウントを開始し、ＴＤ経過後にタイムアップして各ゾーンの平均値を演算してプロファイルを測定する。
【００４６】
ＴＤがＴよりも短いとこの構成で測定できるが、図３のようにＴＤがＴよりも長いと、タイムアップする前に次のスタート信号が入力され、測定ができなくなる。そのため、タイマを複数個用いて順番に使用するようにすると、ＴＤがＴよりも長い場合でも正確なプロファイルを測定することができる。
【００４７】
センサやシステムに固有の遅れがある場合には、前述した輸送遅れとは別に補正を行った方が正確な測定ができる。この場合補正するデータの個数は、前記（２）式と同じようにして、
補正データ数＝遅れ時定数設定値／データの測定周期  ・・・・  （７）
になる。
【００４８】
図４に、本発明に係る幅方向プロファイル測定装置の一実施例の構成を示す。図４において、１はセンサであり、所定の周期でフィルム等シート状製品を幅方向にスキャンして、厚さ、密度、坪量などを測定する。２は測定データ保存部であり、センサ１が測定した結果を時系列的に保存する。
【００４９】
３はタイマであり、ロータリーダイ５３やピンチロール７１に設置した基準点を通過したという基準点情報が入力される。タイマ３はこの基準点情報によってカウントを開始し、輸送遅れ時間またはセンサ１やシステムの遅れ時間の後にタイムアップする。４は演算部であり、前記（３）〜（６）式に基づいて各ゾーンの測定データを特定し、それらの平均値を演算する。
【００５０】
なお、トラッキングエラーが発生した場合や校正動作中は位置のカウントのみを行い、データ自体は無効化すると、測定が行いやすくなる。また、ゾーンの分割数は、表示系や演算系のパフォーマンスに応じて上下限を設定すると扱いやすくなる。
【００５１】
また、各ゾーンの平均値は、過去のデータを用いてスムージング処理を行うと、流れ方向の変動成分を除去することができて、幅方向のプロファイルの変動分を把握しやすくなる。
【００５２】
また、基準点を設置するよりもエンコーダを設置する方が簡単な場合には、エンコーダのパルスを用いて測定データの締めを行っても良い。この際、ピンチロールの振動を利用する場合は、エンコーダから発生する左右パルスが切り替わる点を基準値として用いることができる。このとき、左右パルスへの分割は、エンコーダパルスの方向判別を行うことにより可能となる。
【００５３】
さらに、これらの実施例ではフィルムの厚さのプロファイル測定に用いたが、厚さ以外に密度や坪量の等のプロファイルを測定する場合にも応用できる。
【００５４】
【発明の効果】
以上説明したことから明らかなように、本発明によれば次の効果が期待できる。
請求項１ないし請求項６記載の発明によれば、ロータリーダイに基準点を設け、所定の周期で測定した物理量の測定データをこの基準点を通過した信号で切り出してプロファイルを求めるようにした。さらに、シートの輸送時間やセンサの遅れ時定数だけ切り出すタイミングを遅らせるようにした。また、幅方向に複数のゾーンに分割し、これらのゾーンに入る測定データの平均値をそのゾーンの測定値とした。
【００５５】
基準点を設けるだけでロータリーダイと測定データの位値対応関係を取ることが出来るので、近接スイッチやロータリーダイの回転を測定するエンコーダだけの設備で済み、設置あるいは運用が簡単になるという効果がある。また、輸送遅れやセンサの遅れを補正することができるので、フィルムの速度などの操業条件が変化しても、正確な位値対応関係が得られるという効果がある。
【００５６】
さらに、複数のゾーンに分割してその平均値を測定値とすることにより、測定データの数が変化しても平均化したデータの数は変化しないので、プロファイルを表示する際に支障が生じないという効果もある。また、スムージングを施すことにより、フィルムの流れ方向の変化によるノイズを除去できるという効果もある。
【００５７】
請求項７ないし請求項１３記載の発明によれば、ピンチロールに基準点を設け、所定の周期で測定した物理量の測定データをこの基準点を通過した信号で切り出してプロファイルを求めるようにした。また、エンコーダを用いてピンチロールの動きを検出し、折り返し点を基準点とした。さらに、シートの輸送時間やセンサの遅れ時定数だけ切り出すタイミングを遅らせるようにした。また、幅方向に複数のゾーンに分割し、これらのゾーンに入る測定データの平均値をそのゾーンの測定値とした。
【００５８】
基準点を設けるだけでロータリーダイと測定データの位値対応関係を取ることが出来るので、近接スイッチやロータリーダイの回転を測定するエンコーダだけの設備で済み、設置あるいは運用が簡単になるという効果がある。特にエンコーダを用いて折り返し点を基準点とすることにより、構成を簡便に出来る。また、輸送遅れやセンサの遅れを補正することができるので、フィルムの速度などの操業条件が変化しても、正確な位値対応関係が得られるという効果がある。
【００５９】
さらに、複数のゾーンに分割してその平均値を測定値とすることにより、測定データの数が変化しても平均化したデータの数は変化しないので、プロファイルを表示する際に支障が生じないという効果もある。また、スムージングを施すことにより、フィルムの流れ方向の変化によるノイズを除去できるという効果もある。
【００６０】
請求項１４ないし請求項１６記載の発明は、センサによって物理量を一定周期で測定データ保存部に保存し、ロータリーダイまたはピンチロールに設置した基準点を通過する基準信号によってタイマを起動して、このタイマのタイムアップ信号で演算部が測定データを切り出してプロファイルを演算するようにした。また、タイマを複数個用い、フィルムの幅方向を複数のゾーンに分割し、各ゾーンに入る測定データの平均値をそのゾーンの測定値とした。
【００６１】
基準点を設置するだけでロータリーダイまたはピンチロールと測定値との対応を取ることが出来るので、簡単に設置できるという効果がある。また、フィルムの輸送遅れを補正することが出来るので、フィルムの速度など操業条件が変化しても、簡単に対応できるという効果がある。
【００６２】
さらに、複数のゾーンに分割してその平均値を測定値とすることにより、測定データの数が変化しても平均化したデータの数は変化しないので、プロファイルを表示する際に支障が生じないという効果もある。また、スムージングを施すことにより、フィルムの流れ方向の変化によるノイズを除去できるという効果もある。
【図面の簡単な説明】
【図１】本発明の一実施例を示すフローチャートである。
【図２】本発明の他の実施例を示すフローチャートである。
【図３】本発明の効果を説明するための特性図である。
【図４】本発明の一実施例を示す構成図である。
【図５】ブローンフィルム製造装置の構成図である。
【符号の説明】
１  センサ
２  タイマ
３  測定データ保存部
４  演算部
５３  リングダイ（ロータリーダイ）
７１  ピンチロール
【図１】
2004347558.tif 000003
【図２】
2004347558.tif 000004
【図３】
2004347558.tif 000005
【図４】
2004347558.tif 000006
【図５】
2004347558.tif 000007